(57)【要約】 【課題】本発明は朝採り野菜をその日の内に遠隔な消費地域の消費者に届けて食されることが可能で、輸送コストが激減する直売流通システムを提供することを目的とする。【解決手段】野菜の集荷所Ｂのパソコン２に、出荷予約機能部24と、金銭管理機能部25と、積載量集計機能部26を備え、輸送業者Ｃによって野菜を搬入する遠隔な直売所Ｄのパソコン４に、バーコード読取器41と、農産物の販売状況を配信するための売上実績・在庫情報部42と、売上明細集計機能部43と、在庫管理機能部44を備え、各部署に出荷参考情報などを配信すると共に他からの各種情報を受信するシステム運用センターＥのパソコン５に、システム使用者配信機能部51と、価格調整機能部53と、出荷参考情報部54と、出荷予約過不足調整機能部55を備えた構成とする。【選択図】図１
2005235053.tif 000002
【特許請求の範囲】
【請求項１】
生産者（Ａ）から農産物を運び込まれる集荷所（Ｂ）にパソコン（２）を配置すると共に集荷所（Ｂ）の集荷された農産物を輸送業者（Ｃ）によって搬入する遠隔な直売所（Ｄ）にパソコン（４）を配置し、少なくとも前記パソコン（２），（４）に出荷参考情報などを配信すると共に前記パソコン（２），（４）などからの各種情報を受信するシステム運用センター（Ｅ）とから少なくとも構成される流通システムであって、前記集荷所（Ｂ）のパソコン（２）には少なくとも、生産者（Ａ）が予約した農産物の予約を集計するための出荷予約集計機能部（24）と、積載量集計機能部（26）を備え、前記遠隔な直売所（Ｄ）のパソコン（４）には少なくとも、バーコードを読込むためのバーコード読取器（41）と、農産物の販売状況を配信するための売上実績・在庫情報部（42）と、売上明細集計機能部（43）と、在庫管理機能部（44）を備え、前記システム運用センター（Ｅ）のパソコン（５）には少なくとも、パソコン（２），（４）などに配信するためのシステム使用者配信機能部（51）と、出荷参考価格を設定する際の価格調整機能部（53）と、出荷参考情報部（54）と、出荷予約過不足調整機能部（55）を備えたことを特徴とする農産物の特定遠隔地直売流通システム。
【請求項２】
前記生産者（Ａ）にパソコン（１）を配置し、前記システム運用センター（Ｅ）から配信された前日の出荷参考情報をそのパソコン（１）の画面で確認し参考にして、生産している農産品名，箱サイズ，数量，価格などを出荷予約として入力するための入力手段（11）と、予約に基づいて朝採りした農産物にバーコードラベルを貼付けるためのバーコードラベル発行器（12）とが前記パソコン（１）に具備された請求項１記載の農産物の特定遠隔地直売流通システム。
【請求項３】
前記集荷所（Ｂ）のパソコン（２）には、入力手段（21）と、バーコードラベル発行器（22）と、バーコード読取器（23）と、金銭管理機能部（25）が具備された請求項１記載の農産物の特定遠隔地直売流通システム。
【請求項４】
前記輸送業者（Ｃ）にパソコン（３）を配置し、それに運行管理機能部（31）が具備された請求項１記載の農産物の特定遠隔地直売流通システム。
【請求項５】
前記遠隔な直売所（Ｄ）のパソコン（４）に、売上実績集計機能部（45）が具備された請求項１記載の農産物の特定遠隔地直売流通システム。
【請求項６】
前記遠隔な直売所（Ｄ）が、前記集荷所（Ｂ）から３時間〜４時間で搬入可能な消費地域に設けられた請求項１又は５記載の農産物の特定遠隔地直売流通システム。
【請求項７】
前記システム運用センター（Ｅ）のパソコン（５）に、売上・在庫照合機能部（52）が具備された請求項１記載の農産物の特定遠隔地直売流通システム。
【発明の詳細な説明】
【技術分野】
【０００１】
本発明は農産物を特定生産地域から遠隔な特定消費地域へ短時間で、一般的な野菜などの農産物を集荷し、積載及び輸送し、それらをその日の内に販売するシステムであると共に出荷予約情報，出荷情報，各農産物の価格情報，販売情報，支払い関連情報が、インターネットや電話などの通信回路を介して集計され、所定時間に分析し、その分析結果をシステム使用者に配信してより有利に農作物が出荷出来るための農産物の特定遠隔地直売流通システムに関する。
【背景技術】
【０００２】
従来、農産物の流通に際して、生産者（農家）から農協（ＪＡ）などの集荷団体を介して市場へ農産物が出荷され、且つ市場から卸しや仲卸しを経て小売店やスーパーマーケットで販売する流通経路が一般的であり、この形態に於ける情報のやり取りは、生産者，集荷団体，市場，卸し，中卸し，小売店やスーパーマーケットの各々が電話，ファックス，インターネットを介したＥメールなどで行うのが通常であり、情報の交信は直列的であり、停滞を生じることがあった。従って、農作物の流れが停滞し、小売店やスーパーマーケットに農作物が届くまでに時間や日数を要し易く、出荷が揃わない或いは余剰になる恐れが生じると共に到着時間が狂い、価格が上がり、売れ残りが多くなり易かった。また農産物を出荷して小売店やスーパーマーケットで販売する迄に多くの業者が介入しており、小売値は出荷価格の倍近くになってしまうと共に農産物の出荷価格は出荷しないと分からず、収穫日によって変動が大きいので、生産者の収入増加は難しく、且つ収入の安定も難しかった。
【０００３】
又、農産物を消費者へ安価で新鮮なものを提供するための流通として地元直売方式がある。この直売方式は生産者が直接に消費者へ農産物を提供するものであり、生産者が地元直売所まで農産物を運び込み、地元直売所へ販売委託するので、生産者や消費者にとって好ましいシステムであった。しかしながら、直売方式の場合は、地元地域だけの流通であり、販売量拡大に限度があった。尚、このシステムを遠隔地域まで広げて直売すると、輸送費の増加や農産物の品揃えに手間が掛かり、地元直売の特徴である採りたて，新鮮，安価，生産者の顔が見えて信頼性が高い等の条件を満足させることが困難となる。他方、全国の消費者へ特産品（農産物）を宅配などで直接に届ける通販流通システムがある。このシステムは輸送費が嵩み割高になると共に日持ちのする農産物に限定されるため、高価な農産物しか取扱えないと共に、小売店に並ぶ農産物を直接手にとって品定めすることが出来ず、カタログで判断し注文しなければならないため、トラブルが起き易く、発送先が不特定で手間が掛かり且つ宅配に数日掛かることもあり、朝採り農産物をその日の内に食すことは不可能であった。
【０００４】
近年に於いては、生産者は少量の農産物でも流通ルートに乗せ、消費者に鮮度の高い農産物を提供可能とし、且つ流通の効率化によって中間マージンを省き販売価格を低減することが可能となると共に、インターネットを利用して生産者により多くの情報を流し、小売店は委託販売によって仕入れ，在庫及び商品廃棄等の資金負担の軽減，商品パッケージ等の人件費の軽減等での経営リスクの削減が図れる委託販売システムが、特開２００２−１８３２４５で提案されている。この農産物の委託販売システムは、生産者が販売価格を設定し、小売店へ出荷し、小売店ではＰＯＳシステムを利用して受託販売をするものである。生産者はパソコンでインターネットを利用し、小売店のＰＯＳシステムに生産者，販売品目，単価，販売日を予約登録し、ＰＯＳシステムから予約番号などの通知を受け、バーコードラベルを印刷し販売物に貼付して小売店へ出荷する。小売店では商品の受入れ状況や販売状況をＰＯＳシステムに登録する。この時、生産者はインターネットでその状況を確認して次回の出荷の計画を作成する。この際、決済は販売金額から小売店手数料を差引いてすみやかに決済するものであった。
【０００５】
しかしながら特開２００２−１８３２４５は、生産者が小売店へ直接に委託販売するシステムであり、農産物の輸送は生産者が負担しなければならず、輸送コストが掛かると共に遠隔地の小売店への委託販売はコスト的に困難であり、且つ新鮮な野菜を遠隔地の小売店へ迅速に搬入することも困難であり、更に生産者の売上げ増加には遠隔地の小売店への委託販売は余り期待が持てないものである等の問題点があった。尚、一般的な野菜などの農産物を遠隔地域で直売すると、採算性が合わず且つ傷み易いため、一般的な野菜の直売方式を採用する発想は従来にはなかった。
【特許文献１】特開２００２−１８３２４５号公報
【発明の開示】
【発明が解決しようとする課題】
【０００６】
本発明は野菜などの農産物が特定生産地域から遠隔な特定消費地域へ効率良く輸送されて委託販売でき、地元直売と同様な効果が期待出来る農産物の特定遠隔地直売流通システムを提供することを目的とする。
【０００７】
本発明の別の目的は、朝採り野菜などの農産物をその日の内に遠隔な消費地域の消費者へ届け且つその消費者が農産物を食することが可能となると共に輸送コストが激減出来る農産物の特定遠隔地直売流通システムを提供するにある。
【課題を解決するための手段】
【０００８】
本発明は上記問題点を解消するために成されたものであり、つまり、生産者から農産物を運び込まれる集荷所にパソコンを配置すると共に集荷所の集荷された農産物を輸送業者によって搬入する遠隔な直売所にパソコンを配置し、各パソコンに出荷参考情報などを配信すると共に他のパソコンからの各種情報を受信するシステム運用センターとから少なくとも構成される流通システムであって、集荷所のパソコンには少なくとも、生産者が予約した農産物を集計するための出荷予約集計機能部と，積載量集計機能部を備え、遠隔な直売所のパソコンには少なくとも、バーコード読取器と、売上実績・在庫情報部と、売上明細集計機能部と、在庫管理機能部を備え、システム運用センターのパソコンには少なくとも、各パソコンに配信するためのシステム使用者配信機能部と、出荷参考価格を設定する際の価格調整機能部と、出荷参考情報部と、出荷予約過不足調整機能部を備えたものとする。また生産者にパソコンを配置し、システム運用センターから配信された前日の出荷参考情報をパソコン画面で確認し参考にして、生産している農産品名，箱サイズ，数量，価格などを出荷予約として入力するための入力手段と、予約に基づいて朝採りした農産物にバーコードラベルを貼付けるためのバーコードラベル発行器とをパソコンに具備し、集荷所のパソコンには、入力手段，バーコードラベル発行器，バーコード読取器，金銭管理機能部を具備させ、輸送業者にパソコンを配置し、それに運行管理機能部を具備し、集荷所から３時間〜４時間で搬入可能な消費地域に直売所を設け、該遠隔な直売所のパソコンに売上・在庫照合機能部を具備させたものとしても良い。
【発明の効果】
【０００９】
請求項１のように生産者（Ａ）から農産物を運び込まれる集荷所（Ｂ）にパソコン（２）を配置すると共に集荷所（Ｂ）の集荷された農産物を輸送業者（Ｃ）によって搬入する遠隔な直売所（Ｄ）にパソコン（４）を配置し、少なくともパソコン（２），（４）に出荷予約情報などを配信すると共にパソコン（２），（４）などからの各種情報を受信するシステム運用センター（Ｅ）とから少なくとも構成される流通システムであって、集荷所（Ｂ）のパソコン（２）には少なくとも、生産者（Ａ）が予約した農産物を集計するための出荷予約集計機能部（24）と、積載量集計機能部（26）を備え、遠隔な直売所（Ｄ）のパソコン（４）には少なくとも、バーコードを読込むためのバーコード読取器（41）と、農産物の販売状況を配信するための売上実績・在庫情報部（42）と、売上明細集計機能部（43）と、在庫管理機能部（44）を備え、システム運用センター（Ｅ）のパソコン（５）には少なくとも、パソコン（２），（４）などに配信するためのシステム使用者配信機能部（51）と、出荷参考価格を設定する際の価格調整機能部（53）と、出荷参考情報部（54）と、出荷予約過不足調整機能部（55）を備えることにより、生産者（Ａ）は出荷参考情報を見ながら販売価格を決め、且つ農産物の収穫予定が立てられるため、収入を安定させ且つ増加させることが可能となった。また出荷予約の成立時点で明日の仕事の流れが正確に把握でき、農産物の確保と出荷高の確保が確実に行え、安定した効率の良い輸送が可能になると共に本出荷の手間を簡略化させて集荷や積込み及び受入れが素早く行えるものとなる。更に遠隔な直売所（Ｄ）では、朝採りの一般的な野菜を店頭に並べることができ、且つ地元直売所と同様に、周辺の小売店やスーパーマーケットよりも格安で新鮮な農産物が提供出来ると共に生産者（Ａ）の顔が見えて信頼性の高い農産物を販売することが可能となるため、規格が緩やかな農産物も販売でき、売上高の増加が期待可能なものとなる。又、生産地域から遠隔な直売所（Ｄ）まで、予め決めた新鮮な農産品名，量，出荷高に基づいたものを時間通りに届けることができ、日々変動する農産物の相場価格，小売価格，売れ筋状況に対して、消費者に喜ばれる農産物の価格決めに参考になる出荷参考価格情報を日々生産者（Ａ）や集荷所（Ｂ）などに提供できるものとなり、スムーズに計画に沿った仕事が出来るものとなる。
【００１０】
請求項２のように生産者（Ａ）にパソコン（１）を配置し、システム運用センター（Ｅ）から配信された前日の出荷参考情報をそのパソコン（１）の画面で確認し参考にして、生産している農産品名，箱サイズ，数量，価格などを出荷予約として入力するための入力手段（11）と、予約成立に基づいて朝採りした野菜にバーコードラベルを貼付けるためのバーコードラベル発行器（12）とをパソコン（１）に具備させることにより、自宅のパソコン（１）で出荷予定が決められ、且つバーコードの入力内容によって生産者（Ａ）の信頼度を消費者に対して向上させることが可能となると共に生産者（Ａ）自身で出荷価格が決定できるものとなる。また農産物の生産計画が立て易くなった。
【００１１】
請求項３に示すように集荷所（Ｂ）のパソコン（２）には、入力手段（21）と、パソコン（１）のない生産者（Ａ）のバーコードラベルを発行するためのバーコードラベル発行器（22）と、出荷予約の仮のバーコードを読取るためのバーコード読取器（23）と、金銭管理機能部（25）を具備させることにより、出荷予定の取りまとめが行えると共に本出荷の前日に集荷予約が各部署で容易に把握出来るものとなる。また農産物の販売実績に伴う売上金の支払いがスムーズに行えると共に各生産者（Ａ）からの販売に関する相談に対応し易くなる。
【００１２】
請求項４に示すように輸送業者（Ｃ）にパソコン（３）を配置し、それに運行管理機能部（31）を具備することにより、農産物の輸送状況が各部署で把握できるものとなり、遠隔な直売所（Ｄ）の到着時間の変更があっても予定が立ち、必要な農産物を必要な時間に届けることが可能となる。
【００１３】
請求項５のように遠隔な直売所（Ｄ）のパソコン（４）に売上実績集計機能部（45）を具備させることにより、販売状況や売上実績が各部署で簡単に確認できるものとなるため、生産者（Ａ）に有利な情報の提供が出来るものとなる。
【００１４】
請求項６のように遠隔な直売所（Ｄ）として、集荷所（Ｂ）から３時間〜４時間で搬入可能な消費地域に設けることにより、特定生産地域から遠隔な特定消費地域へ朝採り農産物がその日の内に届けられ、遠隔な消費地域の消費者が朝採り野菜をその日の内に食することが可能となると共に所定の出荷高以上を必ず確保しているため、輸送コストが激減出来るものとなり、地元直売店と同じように運営することが可能となる。
【００１５】
請求項７に示すようにシステム運用センター（Ｅ）のパソコン（５）に売上・在庫照合機能部（52）を具備することにより、売れ残りを減らし、消費者が必要としている野菜などの農産物を手配することが簡単になる。また売上金と在庫の照合の相違が、売上実績集計前に把握でき、是正して正確なデーターが各部署へ配信できるものとなる。
【発明を実施するための最良の形態】
【００１６】
図１は本発明の実施形態を示す図であり、これに基づいて説明する。（Ａ）は野菜などの農産物を朝採りし出荷する農家、つまり生産者である。（Ｂ）は生産者（Ａ）から農産物が運び込まれる農協などの集荷所である。（Ｃ）は集荷所（Ｂ）に集荷された農産物を積載し輸送し且つ荷降ろしをする輸送業者であり、（Ｄ）は輸送業者（Ｃ）によって搬入される遠隔な直売所であり、該遠隔な直売所（Ｄ）としては、集荷所（Ｂ）から７０Ｋｍ以上離れ、好ましくは３時間〜４時間で搬入可能な消費地域に設けるのが良く、対象消費地域としては３町村或いは１市程度の広さに数箇所設けるのが良い。（Ｅ）は出荷参考情報などを配信すると共に各部署からの各種情報を受信するシステム運用センターである。本発明の流通システムの使用料は、各生産者（Ａ）から徴収し、徴収した使用料は集荷所（Ｂ），輸送業者（Ｃ），遠隔な直売所（Ｄ），システム運用センター（Ｅ）で分配される。
【００１７】
（１）は各生産者（Ａ）に配置し且つ各情報が画面で確認できると共に出荷予約が行えるパソコンであり、該パソコン（１）には、農産品名，箱サイズ，数量，価格などの出荷予約或いは出荷する事項を入力するための入力手段（11）と、予約成立に基づいて朝採りした野菜などの農産物にバーコードラベルを貼付けるためのバーコードラベル発行器（12）とが具備されている。またバーコードラベル発行器（12）は予約出荷用のバーコードラベルも発行させても良い。（２）は集荷所（Ｂ）に配置したパソコンであり、該パソコン（２）には、入力手段（21）と、パソコン（１）がない生産者（Ａ）によって運び込まれた農産物にバーコードラベルを貼付けるためのバーコードラベル発行器（22）と、出荷予約した仮のバーコードを読込むためのバーコード読取器（23）と、生産者（Ａ）の出荷予約を集計するための出荷予定集計機能部（24）と、各部署へ金銭を振込むための金銭管理機能部（25）と、出荷予約された農産物の積載量を集計するための積載量集計機能部（26）が具備されている。（３）は輸送業者（Ｃ）に配置したパソコンであり、該パソコン（３）には、運行管理機能部（31）を具備させると良い。（４）は遠隔な直売所（Ｄ）に配置したパソコンであり、該パソコン（４）には、バーコードを読込むためのバーコード読取器（41）と、農産物の売上実績を各部署に送信するための売上実績・在庫情報部（42）と、売上明細集計機能部（43）と、在庫管理機能部（44）と、売上実績集計機能部（45）が具備されている。尚、図示しないＰＯＳ端末を備え、生産者（Ａ）,
集荷所（Ｂ） ,システム運用センター（Ｅ）にデーターが常時送信されるようにしても良い。（５）はシステム運用センター（Ｅ）に配置したパソコンであり、該パソコン（５）には、各パソコン（１）,（２）,（３）,（４）に配信するためのシステム使用者配信機能部（51）と、売上・在庫照合機能部（52）と、出荷参考価格を設定する際の価格調整機能部（53）と、出荷参考情報部（54）と、出荷予約過不足調整機能部（55）が備えられている。尚、前記生産者（Ａ），集荷所（Ｂ），輸送業者（Ｃ），遠隔な直売所（Ｄ），システム運用センター（Ｅ）はインターネットで各部署が連結され、前記集荷所（Ｂ）や遠隔な直売所（Ｄ）にもシステム使用者配信機能部（51）と同様なものを具備させておくと良い。またバーコードラベルの代わりにＩＣタグを使用しても良い。この時には、バーコードラベル発行器（12）,（22）やバーコード読取器（23）の代りにＩＣタグ専用機器を使用する。
【００１８】
本実施形態のシステムの流れについて説明する。先ず始めに野菜などの農産物を出荷する前日に於いて、出荷予約成立のための流れを、図２に基づいて説明する。先ずシステム運用センター（Ｅ）の出荷参考情報部（54）のデーターが各部署へ配信され、各生産者（Ａ）はパソコン（１）の画面によって出荷参考情報を手に入れる。尚、生産者（Ａ）にパソコン（１）が配置されていない場合には、集荷所（Ｂ）からの出荷参考情報、例えばパソコン（２）の画面を見て出荷参考情報を利用、また集荷所（Ｂ）からの電話やファックスの出荷参考情報を利用、或いは掲示板に貼出された出荷参考情報を利用する。又、前記出荷参考情報としては、売れ筋の農産物や消費者地域の平均価格より２０％程度安価な出荷参考価格などが提供される。その後、生産者（Ａ）がパソコン（１）のキーボードである入力手段（11）によって、農産品名，箱サイズ，数量，価格などの出荷予約に必要な事項を入力し、生産者（Ａ）は集荷所（Ｂ）へＥメールする。尚、生産者（Ａ）にパソコン（１）がない場合、直接に集荷所（Ｂ）へ電話やファックスなどで出荷予約をしても良い。また前記パソコン（１）で直接Ｅメールする外に、仮のバーコードラベルをバーコードラベル発行器（12）で発行し、この仮のバーコードラベルを集荷所（Ｂ）へ持込んで出荷予約を申込む方法としても良い。これらの方法によって、出荷予約を集荷所（Ｂ）で受付け、それを出荷予約集計機能部（24）で集計する。集計結果が、予め設定した金額目標値に達した時は、積載量の確認をして、そのデーターが集荷所（Ｂ）からシステム運用センター（Ｅ）へ送られ、そのデーターをシステム運用センター（Ｅ）で確認した後、出荷予約の成立とする。確認後、システム運用センター（Ｅ）から各部署へ出荷予約が成立したことを配信するのである。その後、生産者（Ａ）は出荷の準備を行い、輸送業者（Ｃ）は積載段取りを行い、遠隔な直売所（Ｄ）は入荷準備をしておくと良い。尚、本発明で言う「各部署」とは、生産者（Ａ），集荷所（Ｂ），輸送業者（Ｃ），直売所（Ｄ），システム運用センター（Ｅ）を指す。
【００１９】
一方、前記集計結果が、予め設定した金額目標値に達しない時は、集荷所（Ｂ）から生産者（Ａ）に出荷予約の申込みを促す。その後、集計結果が前記金額目標値に達しない場合は、その出荷予約集計状態をシステム運用センター（Ｅ）へ送信し、過不足調整依頼をする。するとシステム運用センター（Ｅ）から集荷所（Ｂ）へ現時点で出荷が有利な価格の農産品名や遠隔な直売所（Ｄ）に於いて品薄で売れている農産物などを配信して来る。その情報を基に集荷所（Ｂ）から生産者（Ａ）に出荷予約の申込みを再度促す。その後、集計結果が前記金額目標値に達すれば、出荷予約が成立するのである。尚、金額目標値に達しない時は出荷予約が不成立となり、明日の出荷は中止となる。
【００２０】
他方、前記集計結果が、予め設定した金額目標値に達したが、積載量がオーバーになってしまった時は、その出荷予約集計状態をシステム運用センター（Ｅ）へ送信し、過不足調整依頼をする。するとシステム運用センター（Ｅ）から集荷所（Ｂ）へ、効率良く積載出来るように箱サイズの変更や過剰気味の農産品名などの検討結果情報を集荷所（Ｂ）へ送信し、集荷所（Ｂ）から生産者（Ａ）に、箱サイズの変更を指示し、過剰気味の農産品名などの出荷予約取消しを促す。その後、新たな集計結果が適正積載量と確認され、且つ金額目標値も達していることが確認されると、集荷所（Ｂ）からシステム運用センター（Ｅ）へその旨が送られ、そのデーターから出荷予約の成立を確認し、システム運用センター（Ｅ）から各部署へ出荷予約が成立したことを配信する。そして本出荷の前日の作業は終了するのである。
【００２１】
次に本出荷される農産物の流れを、図３に基づいて説明する。先ず始めに生産者（Ａ）は出荷予約した野菜を朝採りし、その野菜などの農産物を所定サイズの箱に詰めると共に箱の数量を確認する。またバーコードラベルを箱など所定位置に貼付ける。この時のバーコード入力内容としては、収納箱タイプ，農産品目，収穫年月日，朝採り時間，収納個数，収納パック数，単価，総重量，総金額を入力する。前記箱詰め農産物を集荷所（Ｂ）へ所定の時間まで運び込む。集荷所（Ｂ）では、運び込まれた農産物は出荷予約資料と担当者が照合し積載準備に入る。尚、この時、出荷や積載量の集計や照合をパソコン（２）で行うと、処理時間を要するため、前日の出荷予約成立が入念に行われた出荷予約資料を基本にし、本出荷を簡略化しても問題は生じないのである。その後、トラックに積載するが、この時には予め積載段取りが検討されているため、農産物を効率良く積込むことが出来るのである。尚、生産者（Ａ）の箱詰め農産物にバーコードラベルが貼付けられていないものには、集荷所（Ｂ）で生産者（Ａ）の代りにバーコードラベルを発行し且つ貼付けても良い。トラックに出荷分の農産物が積載される際には、ドライバーも積載照合を行うと良い。積載が完了した時点でトラックは遠隔な直売所（Ｄ）に向けて出発する。出発後、３時間〜４時間で遠隔な直売所（Ｄ）に到着し、搬入（荷降ろし）を行う。遠隔な直売所（Ｄ）では、担当者が受入れを行う。荷降ろしする際に、担当者は予約成立資料を農産物の箱数と照合し、農産物の搬入を完了する。その後、農産物を商品棚に並べて整列させる。そして農産物の販売を行う。消費者に農産物が販売されると、バーコードをバーコード読取器（41）で読取れば、売上実績・在庫情報部（42），売上明細集計機能部（43），在庫管理機能部（44），売上実績集計機能部（45）にデーターとして入力される。またレジスターに於いては消費者から代金を受取る。このようにして代金を回収し、販売を続行する。この間には、農産物の販売状況が遠隔な直売所（Ｄ）のパソコン（４）から各部署に送信され続けられる。尚、農産物の販売状況はシステム運用センター（Ｅ）のパソコン（５）から配信しても良い。
【００２２】
図４は農産物の価格が決定されるまでの流れを示す図であり、これについて説明する。システム運用センター（Ｅ）に於いて、周辺の小売店やスーパーマーケットの各農産物の価格を所定時間毎に調査し、パソコン（５）に入力する。次に価格調整機能部（53）で各農産物の平均価格を演算すると共にその演算値の０．８倍の値を計算して出荷参考価格を求める。尚、この時、前記０．８倍の値はこれに限定されるものではなく、市場の状況によって決めれば良い。そのデーターは出荷参考情報部（54）へ送られて配信内容に入力されるのである。そして出荷参考情報が各パソコン（１）,（２）,（３）,（４）に配信される。その後、各生産者（Ａ）が出荷参考情報を見て、出荷予約をする。この時、生産者（Ａ）は農産品目と価格及び数量を決めるが、農産物の出来具合を考慮に入れ、価格を高く或いは低く設定させると良い。このように農産物の価格は生産者（Ａ）が自主的に決めるのである。
【００２３】
次に金銭の流れを図５に基づいて説明する。先ず始めに農産物が販売されると、そのバーコードが読込まれると共に代金の回収も行われる。そして前記データーはパソコン（４）の売上実績・在庫情報部（42），売上明細集計機能部（43），売上実績集計機能部（45）へ入力し集計される。この売上状況はパソコン（４）から各部署へ中間販売情報として送信されるのである。閉店時間になると、販売が締切られ、売上明細集計機能部（43）の表示する売上金と回収した金額をチェックする。その後、システム運用センター（Ｅ）の担当者が予約成立資料と売上明細集計資料及び在庫管理資料などに基づいて立会い、確認後、その日の販売に関してサインし承認する。尚、立会人の承認を得ることにより、売上金と在庫の照合の違いなどが、売上実績の集計前に把握でき、是正することが可能となる。そして集荷所（Ｂ）の口座に振込まれ、遠隔な直売所（Ｄ）の作業が終了する。その後、集荷所（Ｂ）に於いては、遠隔な直売所（Ｄ）から送信されたデーターに基づき、金銭管理機能部（25）によって、農産物の販売実績に応じた売上金が各生産者（Ａ）の口座に振込まれると共に集荷所（Ｂ），輸送業者（Ｃ），直売所（Ｄ），システム運用センター（Ｅ）の各口座には販売実績に応じた所定金額が振込まれるのである。この日の売上金明細や振込み明細は集荷所（Ｂ）から各部署へ送信されるので、各部署に於いては送信されたデーターと振込み金額を照合すれば良い。
【産業上の利用可能性】
【００２４】
本発明は農産物だけでなく他の商品の流通システムとして利用することも可能であり、定期的に輸送する商品に対して、輸送費が激減可能な流通システムとなる。
【図面の簡単な説明】
【００２５】
【図１】本発明の実施形態の構成を示す説明図である。
【図２】本実施形態の出荷予約成立のための流れを示す説明図である。
【図３】本実施形態の農産物の流れを示す説明図である。
【図４】本実施形態に於ける価格が決定されるまでの流れを示す説明図である。
【図５】本実施形態に於ける金銭の流れを示す説明図である。
【符号の説明】
【００２６】
Ａ  生産者
Ｂ  集荷所
Ｃ  輸送業者
Ｄ  遠隔な直売所
Ｅ  システム運用センター
１  生産者のパソコン
11  入力手段
12  バーコードラベル発行器
２  集荷所のパソコン
21  入力手段
22  バーコードラベル発行器
23  バーコード読取器
24  出荷予約集計機能部
25  金銭管理機能部
26  積載量集計機能部
３  輸送業者のパソコン
31  運行管理機能部
４  直売所のパソコン
41  バーコード読取器
42  売上実績・在庫情報部
43  売上明細集計機能部
44  在庫管理機能部
45  売上実績集計機能部
５  システム運用センターのパソコン
51  システム使用者配信機能部
52  売上・在庫照合機能部
53  価格調整機能部
54  出荷参考情報部
55  出荷予約過不足調整機能部
【図１】
2005235053.tif 000003
【図２】
2005235053.tif 000004
【図３】
2005235053.tif 000005
【図４】
2005235053.tif 000006
【図５】
2005235053.tif 000007